【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
カメラから供給される制御信号によって制御され、複数の端子を備えるアクセサリーであって、
前記複数の端子は、前記アクセサリーが前記カメラで制御可能な状態であることを前記カメラが検出するための検出レベルを、前記カメラに提供する検出レベル提供端子を含み、
前記複数の端子のうち前記検出レベル提供端子の両隣に配置される端子は、前記検出レベル提供端子と短絡状態であったとしても、前記アクセサリーが前記カメラに装着され、前記カメラによって前記検出レベル提供端子の前記検出レベルを認識する際に、前記検出レベルとは見做されないレベル状態を維持可能な端子である
ことを特徴とするアクセサリー。
【請求項２】
前記検出レベル提供端子の両隣に配置される端子の一方は、前記アクセサリーに関する情報を含むデータ信号を、前記カメラに対して出力するデータ信号出力端子である
ことを特徴とする請求項１に記載のアクセサリー。
【請求項３】
前記アクセサリーは、光を発する発光部を備え、
前記検出レベル提供端子の両隣に配置される端子の他方は、前記発光部を制御する発光制御信号が前記カメラから入力される発光信号入力端子である
ことを特徴とする請求項２に記載のアクセサリー。
【請求項４】
前記複数の端子は、前記データ信号の通信を前記カメラとの間で行うデータ信号通信の開始を制御する通信制御信号が前記カメラから入力される通信制御信号入力端子と、前記データ信号に同期するクロック信号を前記カメラに出力するクロック信号出力端子と、をさらに含み
前記複数の端子において、前記通信制御信号入力端子、前記発光信号入力端子、前記検出レベル提供端子、前記データ信号出力端子、及び前記クロック信号出力端子が、この順に配置される
ことを特徴とする請求項３に記載のアクセサリー。
【請求項５】
前記アクセサリーが前記カメラに装着されている場合に、前記検出レベルのレベルは、前記制御信号の基準電位が示すレベルと同じである
ことを特徴とする請求項１から請求項４のいずれか一項に記載のアクセサリー。
【請求項６】
前記検出レベル提供端子の両隣に配置される端子と電気的に接続される信号線には、プルアップ抵抗が接続されている
ことを特徴とする請求項１から請求項５のいずれか一項に記載のアクセサリー。
【請求項７】
前記カメラからの前記アクセサリーの取り外しに応じて前記複数の端子の配列方向に対して所定の方向に移動する可動部材を含み、前記検出レベルの状態を切替える第１スイッチ部をさらに備え、
前記可動部材が前記所定の方向に移動することによって、前記検出レベルの状態が切替わる
ことを特徴とする請求項６に記載のアクセサリー。
【請求項８】
前記可動部材は、前記アクセサリーが前記カメラに装着される際に前記カメラから受ける力によって前記所定の方向に移動する
ことを特徴とする請求項７に記載のアクセサリー。
【請求項９】
前記可動部材は、前記アクセサリーが前記カメラに装着されている場合に、前記カメラに係止されることによって、前記カメラに対する前記アクセサリーの移動を規制する
ことを特徴とする請求項７又は請求項８に記載のアクセサリー。
【請求項１０】
前記可動部材を前記所定の方向に移動させるための操作を受け付ける操作部を備える
ことを特徴とする請求項７から請求項９のいずれか一項に記載のアクセサリー。
【請求項１１】
前記検出レベルの状態を切替える第２スイッチ部を更に備え、
前記第２スイッチ部は、前記検出レベル提供端子に接続された信号線に対して前記第１スイッチ部と直列に接続されている
ことを特徴とする請求項７から請求項１０のいずれか一項に記載のアクセサリー。
【請求項１２】
前記第２スイッチ部は、前記検出レベルの状態を切り替えるための操作を受け付ける操作部を備える
ことを特徴とする請求項１１に記載のアクセサリー。
【請求項１３】
前記複数の端子は、それぞれ、線形状を備えており、且つ前記線形状の端部において、前記カメラの端子と接続される
ことを特徴とする請求項１から請求項１２のいずれか一項に記載のアクセサリー。
【請求項１４】
アクセサリーを制御する制御信号を前記アクセサリーに供給するカメラであって、
前記アクセサリーが前記カメラで制御可能な状態であることを前記カメラが検出するための検出レベルが前記アクセサリーから提供される検出レベル提供端子を含み、
前記検出レベル提供端子の両隣に配置される端子は、前記検出レベル提供端子と短絡した場合に、当該検出レベル提供端子において前記検出レベルとは見做されないレベル状態を維持可能な端子である
ことを特徴とするカメラ。
【請求項１５】
カメラから供給される制御信号によって制御されるアクセサリーが着脱されるアクセサリーシューであって、
前記アクセサリーが前記カメラで制御可能な状態であることを前記カメラが検出するための検出レベルが前記アクセサリーから提供される検出レベル提供端子を含み、
前記検出レベル提供端子の両隣に配置される端子は、前記検出レベル提供端子と短絡した場合に、当該検出レベル提供端子において前記検出レベルとは見做されないレベル状態を維持可能な端子である
ことを特徴とするアクセサリーシュー。
【請求項１６】
カメラから供給される制御信号によって制御されるアクセサリーを、前記カメラに着脱するために、前記カメラに着脱可能なコネクターであって、
前記アクセサリーが前記カメラで制御可能な状態であることを前記カメラが検出するための検出レベルを、前記カメラに提供する検出レベル提供端子を含み、
前記検出レベル提供端子の両隣に配置される端子は、前記検出レベル提供端子と短絡状態であったとしても、前記アクセサリーが前記カメラに装着され、前記カメラによって前記検出レベル提供端子の前記検出レベルを認識する際に、前記検出レベルとは見做されないレベル状態を維持可能な端子である
ことを特徴とするコネクター。
【手続補正２】
【補正対象書類名】明細書
【補正対象項目名】０００５
【補正方法】変更
【補正の内容】
【０００５】
本発明の第１の態様のアクセサリーは、カメラから供給される制御信号によって制御され、複数の端子を備えるアクセサリーであって、前記複数の端子は、前記アクセサリーが前記カメラで制御可能な状態であることを前記カメラが検出するための検出レベルを、前記カメラに提供する検出レベル提供端子を含み、前記複数の端子のうち前記検出レベル提供端子の両隣に配置される端子は、前記検出レベル提供端子と短絡状態であったとしても、前記アクセサリーが前記カメラに装着され、前記カメラによって前記検出レベル提供端子の前記検出レベルを認識する際に、前記検出レベルとは見做されないレベル状態を維持可能な端子であることを特徴とする。
【手続補正３】
【補正対象書類名】明細書
【補正対象項目名】０００６
【補正方法】変更
【補正の内容】
【０００６】
本発明の第２の態様のカメラは、アクセサリーを制御する制御信号を前記アクセサリーに供給するカメラであって、前記アクセサリーが前記カメラで制御可能な状態であることを前記カメラが検出するための検出レベルが前記アクセサリーから提供される検出レベル提供端子を含み、前記検出レベル提供端子の両隣に配置される端子は、前記検出レベル提供端子と短絡した場合に、当該検出レベル提供端子において前記検出レベルとは見做されないレベル状態を維持可能な端子であることを特徴とする。
【手続補正４】
【補正対象書類名】明細書
【補正対象項目名】０００７
【補正方法】変更
【補正の内容】
【０００７】
本発明の第３の態様のアクセサリーシューは、カメラから供給される制御信号によって制御されるアクセサリーが着脱されるアクセサリーシューであって、前記アクセサリーが前記カメラで制御可能な状態であることを前記カメラが検出するための検出レベルが前記アクセサリーから提供される検出レベル提供端子を含み、前記検出レベル提供端子の両隣に配置される端子は、前記検出レベル提供端子と短絡した場合に、当該検出レベル提供端子において前記検出レベルとは見做されないレベル状態を維持可能な端子であることを特徴とする。
【手続補正５】
【補正対象書類名】明細書
【補正対象項目名】０００８
【補正方法】変更
【補正の内容】
【０００８】
本発明の第４の態様のコネクターは、カメラから供給される制御信号によって制御されるアクセサリーを、前記カメラに着脱するために、前記カメラに着脱可能なコネクターであって、前記アクセサリーが前記カメラで制御可能な状態であることを前記カメラが検出するための検出レベルを、前記カメラに提供する検出レベル提供端子を含み、前記検出レベル提供端子の両隣に配置される端子は、前記検出レベル提供端子と短絡状態であったとしても、前記アクセサリーが前記カメラに装着され、前記カメラによって前記検出レベル提供端子の前記検出レベルを認識する際に、前記検出レベルとは見做されないレベル状態を維持可能な端子であることを特徴とする。